(57)【要約】  【課題】  カメラなどの機器に応じて手動により切り換え設定する必要がなく、容易に同期をとることができる外部同期システムの重畳パルス自動設定回路を提供する。  【解決手段】  映像信号が入力された場合、又は電源が投入されて映像信号入力が確認できた信号チャンネルごとに外部同期の基準となる重畳パルスを一定期間映像信号に重畳し、重畳パルスと映像信号の同期信号位相の関係から自動的に同期状態の判定を行う。また、映像信号入力が確認できた状態を維持し、かつ同期状態の判定が行われる限りタイミングパルスを重畳し続ける。【選択図】  図１
2005348201.tif 000002
【特許請求の範囲】
【請求項１】
複数の映像機器からの映像信号の同期を、前記映像信号に切換部で重畳したタイミングパルスによって、前記映像機器がＰＬＬ外部同期運転を行うよう構成された外部同期システムの重畳パルス自動設定回路において、
前記タイミングパルスを受けて外部同期運転を行うことが可能な映像機器か、あるいは不可能な映像機器かを自動的に検出・設定する手段を有することを特徴とする外部同期システムの重畳パルス自動設定回路。
【請求項２】
前記映像機器からの入力信号に応答し、無入力信号状態から映像信号を検出した状態遷移時から前記タイミングパルスの重畳開始をすることを特徴とする請求項１に記載の外部同期システムの重畳パルス自動設定回路。
【請求項３】
前記切換部側の電源の立ち上げ時においても、前記映像信号を検出した回路系に対して、前記無入力信号状態から映像信号を検出した状態遷移時と同様に、前記タイミングパルスを重畳して前記映像機器の同期状態を判定することを特徴とする請求項１に記載の外部同期システムの重畳パルス自動設定回路。
【請求項４】
前記無入力信号状態から映像信号を検出した状態遷移時から起算し、一定のテスト期間のみ前記タイミングパルスを重畳し、その期間に前記映像機器の同期状態を判定することを特徴とする請求項１に記載の外部同期システムの重畳パルス自動設定回路。
【請求項５】
前記タイミングパルスを重畳し、前記映像機器の同期状態を判定する機能を各映像入力チャンネルごとに独立して具備することを特徴とする請求項１に記載の外部同期システムの重畳パルス自動設定回路。
【請求項６】
システムが同期状態となっていることを判定する手法として、重畳した前記タイミングパルスと映像信号の同期信号との位相関係から同期状態を判定することを特徴とする請求項１に記載の外部同期システムの重畳パルス自動設定回路。
【請求項７】
システムが同期状態である状態を判定して前記タイミングパルスを重畳し続けている状態では継続して同期状態を監視し、同期の外れを検出した場合は前記タイミングパルスの重畳を停止することを特徴とする請求項１に記載の外部同期システムの重畳パルス自動設定回路。
【請求項８】
システムが同期状態でない状態を判定して前記タイミングパルスを重畳していない状態でも継続して同期状態を監視し、同期の位相関係を検出した場合は前記タイミングパルスの重畳を開始することを特徴とする請求項１に記載の外部同期システムの重畳パルス自動設定回路。
【請求項９】
外部同期運転を行うことが可能な映像機器か、あるいは不可能な映像機器かを自動的に検出・設定する前記手段とは独立して前記タイミングパルスの重畳を任意に設定可能とする手段を有することを特徴とする請求項１に記載の外部同期システムの重畳パルス自動設定回路。
【請求項１０】
複数の映像機器からの映像信号の同期を、前記映像信号に切換部で重畳したタイミングパルスによって、前記映像機器がＰＬＬ外部同期運転を行うよう構成された外部同期システムの重畳パルス自動設定回路において、
前記映像機器からの入力信号に応答し、無入力信号状態から映像信号を検出した状態遷移時から前記タイミングパルスの重畳開始を行う手段と、
重畳した前記タイミングパルスと前記映像機器からの前記入力信号である映像信号の同期信号との位相関係から同期状態を判定する手段と、
前記同期状態を判定する手段の判定結果に応じて、同期状態では、前記タイミングパルスの重畳を継続し、同期が外れた場合は前記タイミングパルスの重畳を停止する手段とを、
有することを特徴とする外部同期システムの重畳パルス自動設定回路。
【発明の詳細な説明】
【技術分野】
【０００１】
本発明は、任意に複数設置したカメラなどの映像機器からの映像信号の同期を、映像信号に重畳したタイミングパルスによって外部同期運転を行うことで実現する外部同期システムの改良に関する。
【背景技術】
【０００２】
複数のテレビ（ビデオ）カメラ（単にカメラとも言う）などからの映像信号を表示して切り換えたり、画像信号の録画を行う際、モニタのローリング現象を抑えたり、メモリなどへの画面切り換え時のタイミングを合わせる目的で、複数のカメラなどの映像機器に外部同期をかけるシステムが用いられる。この方法の１つとして映像信号に受像側から重畳して送り込んだ垂直成分のタイミング信号をカメラ側で抽出し、このパルスでＰＬＬによる外部同期運転をさせて用いる方法が実用化されている（下記の特許文献１参照）。この方法であれば、すべてのカメラに同一の基準となるタイミングパルスを供給することで各カメラは生成する同期信号の位相をこのパルスに合わせて出力するので、複数のカメラの外部同期運転のシステムが容易に構築できる。また、重畳するパルスの精度を確保することで垂直同期のみならず、映像信号としてのカラーロックも行うことができるので、ＳＣＨ位相を確立できないような電源同期方式などに比較して、カメラなどの機器の出力する映像信号はテレビジョン信号として標準信号を満足させることのできる高品位な優れた同期方式であると言える。
【特許文献１】特開２００１−１１９６０４号公報（段落００１３、図１）
【発明の開示】
【発明が解決しようとする課題】
【０００３】
しかしながらタイミングパルスの重畳を、この方式による外部同期運転のできるカメラなどの機器の接続ではない場合に行うと、映像信号と非同期であるために映像表示画面上にタイミングパルスは水平方向にパルスの幅の分だけ白い線状として（パルスの表示はその消去回路を用いてレベルをペデスタルレベルまでにクリップして機器の外部に出力する場合があり、この場合は黒い線状として）現れ、双方の周波数が異なる場合はその線は画面を上下に移動するので大変見苦しいものになる。
【０００４】
また周波数がほとんど同一で、たまたま映像信号の帰線期間に重畳パルスのタイミングが隠れていたような場合は、時間が経過しないとシステムの非同期に気付かないため設定ミスを生じることになりかねない。したがってこの方式でないカメラなどの映像機器を接続する場合は確実にタイミングパルスの重畳を行わないようにする設定が必要であり、当然この設定は入力するカメラなどの機器が変わるたびに変更する必要があるので、マニュアル設定方式では大変煩雑さを伴い機能実現に限界がある。結果としてこれらの設定は自動的に行われることが必要であると言える。またカメラなどの機器の設定は自動化されつつあるが、タイミングパルスを重畳する外部機器側では行われていない。
【０００５】
本発明は、これらの課題を解決してカメラなどの機器に応じて手動により切り換え設定することなく、容易に同期をとることができる外部同期システムの重畳パルス自動設定回路を提供することを目的とする。
【課題を解決するための手段】
【０００６】
すなわち、本発明では映像信号が入力された場合、又は電源が投入されて映像信号入力が確認できた信号チャンネルごとに外部同期の基準となる重畳パルスを一定期間映像信号に重畳し、重畳パルスと映像信号の同期信号位相の関係から自動的に同期状態の判定を行う。また、映像信号入力が確認できた状態を維持し、かつ同期状態の判定が行われる限りタイミングパルスを重畳し続ける。本発明によれば、初期設定の自動化はもとより運用中の入力信号の切り換えに対しても設定の追従が自動的に行われるので、このパルス重畳方式による外部同期を受け付けない機器の入力信号の混在にも親和性を持つ装置を構成する回路を提供することが可能となる。
【０００７】
請求項１に記載の発明は、複数の映像機器からの映像信号の同期を、前記映像信号に切換部で重畳したタイミングパルスによって、前記映像機器がＰＬＬ外部同期運転を行うよう構成された外部同期システムの重畳パルス自動設定回路において、
前記タイミングパルスを受けて外部同期運転を行うことが可能な映像機器か、あるいは不可能な映像機器かを自動的に検出・設定する手段を有することを特徴とする外部同期システムの重畳パルス自動設定回路である。
【０００８】
この構成により外部同期運転を行うことが可能な映像機器のみを選択的に同期させることができ、外部同期運転を行うことが不可能な映像機器の切り換え制御による画面中の不要なノイズなどの弊害の発生を防止することができる。
【０００９】
請求項２に記載の発明は、前記映像機器からの入力信号に応答し、無入力信号状態から映像信号を検出した状態遷移時から前記タイミングパルスの重畳開始をすることを特徴とする請求項１に記載の外部同期システムの重畳パルス自動設定回路である。
【００１０】
この構成により、映像機器の動作中に信号ケーブルを挿抜した場合（カメラ交換）や電源をオンとした場合に、その時点からタイミングパルスを重畳することができる。
【００１１】
請求項３に記載の発明は、前記切換部側の電源の立ち上げ時においても、前記映像信号を検出した回路系に対して、前記無入力信号状態から映像信号を検出した状態遷移時と同様に、前記タイミングパルスを重畳して前記映像機器の同期状態を判定することを特徴とする請求項１に記載の外部同期システムの重畳パルス自動設定回路である。
【００１２】
この構成により、映像信号切換器の電源を投入した場合、その時点からタイミングパルスを重畳することができる。
【００１３】
請求項４に記載の本発明は、前記無入力信号状態から映像信号を検出した状態遷移時から起算し、一定のテスト期間のみ前記タイミングパルスを重畳し、その期間に前記映像機器の同期状態を判定することを特徴とする請求項１に記載の外部同期システムの重畳パルス自動設定回路である。
【００１４】
この構成により、同期状態の判定結果に応じて、タイミングパルスの重畳を継続するか停止するかを選択し、よって、同期できない場合は、それ以後タイミングパルスの重畳による弊害を防止することができる。
【００１５】
請求項５に記載の本発明は、前記タイミングパルスを重畳し、前記映像機器の同期状態を判定する機能を各映像入力チャンネルごとに独立して具備することを特徴とする請求項１に記載の外部同期システムの重畳パルス自動設定回路である。
【００１６】
この構成により、接続されるすべてのチャンネルの映像信号の同期判定を行い、その結果同期可能なチャンネル同士の同期をとることが可能となる。
【００１７】
請求項６に記載の本発明は、システムが同期状態となっていることを判定する手法として、重畳した前記タイミングパルスと映像信号の同期信号との位相関係から同期状態を判定することを特徴とする請求項１に記載の外部同期システムの重畳パルス自動設定回路である。
【００１８】
この構成により、タイミングパルスを基準として同期をとることができ、結果として複数のチャンネルの映像信号間での同期が可能となる。
【００１９】
請求項７に記載の本発明は、システムが同期状態である状態を判定して前記タイミングパルスを重畳し続けている状態では継続して同期状態を監視し、同期の外れを検出した場合は前記タイミングパルスの重畳を停止することを特徴とする請求項１に記載の外部同期システムの重畳パルス自動設定回路である。
【００２０】
この構成により、カメラの同期モード設定を重畳パルスによる外部同期から内部同期にマニュアルで切り換えたような場合でも、カメラとの間で外部同期を行うことが不可能な位相状態にあれば、この状態を検出して重畳パルスの重畳を自動的に停止することができる。
【００２１】
請求項８に記載の本発明は、システムが同期状態でない状態を判定して前記タイミングパルスを重畳していない状態でも継続して同期状態を監視し、同期の位相関係を検出した場合は前記タイミングパルスの重畳を開始することを特徴とする請求項１に記載の外部同期システムの重畳パルス自動設定回路である。
【００２２】
この構成により、入力する映像信号の前段に信号の切換器があって、映像信号の切換えのタイミングが一致していることにより映像信号の有無を検出することを経由することができなかったとしても、外部同期を行うことが可能な位相状態にあれば、この状態を検出して重畳パルスの重畳を自動的に開始することができる。
【００２３】
請求項９に記載の本発明は、外部同期運転を行うことが可能な映像機器か、あるいは不可能な映像機器かを自動的に検出・設定する前記手段とは独立して前記タイミングパルスの重畳を任意に設定可能とする手段を有することを特徴とする請求項１に記載の外部同期システムの重畳パルス自動設定回路である。
【００２４】
この構成により、自動設定に加えて手動設定による同期が可能となる。接続する映像機器があらかじめ重畳パルスによる外部同期ができない機器であることが判っていて、テスト期間の重畳が行われることを避けたい場合や、システム全体の同期を別の同期方式（電源同期での同期運転）にしたい場合などは、手動設定により重畳パルスを送らないようにすることが可能となる。
【００２５】
請求項１０に記載の本発明は、複数の映像機器からの映像信号の同期を、前記映像信号に切換部で重畳したタイミングパルスによって、前記映像機器がＰＬＬ外部同期運転を行うよう構成された外部同期システムの重畳パルス自動設定回路において、
前記映像機器からの入力信号に応答し、無入力信号状態から映像信号を検出した状態遷移時から前記タイミングパルスの重畳開始を行う手段と、
重畳した前記タイミングパルスと前記映像機器からの前記入力信号である映像信号の同期信号との位相関係から同期状態を判定する手段と、
前記同期状態を判定する手段の判定結果に応じて、同期状態では、前記タイミングパルスの重畳を継続し、同期が外れた場合は前記タイミングパルスの重畳を停止する手段とを、
有することを特徴とする外部同期システムの重畳パルス自動設定回路である。
【００２６】
この構成により、外部同期運転を行うことが可能な映像機器のみを選択的に同期させることができ、外部同期運転を行うことが不可能な映像機器の切り換え制御による画面中の不要なノイズなどの弊害の発生を防止することができ、映像機器の動作中に信号ケーブルを挿抜した場合（カメラ交換）や電源をオンとした場合、更に映像機器の同期モードを変更したり、異なる同期方式の映像機器の信号が切換器の上流で同期した状態で切り換えられた場合（すなわち切換器が映像信号の有無判定を経由せずに切り換わった場合）、その時点からタイミングパルスを重畳することができ、同期していない映像機器からの映像信号へのタイミングパルスの重畳を速やかに停止して、それ以後タイミングパルスの重畳による弊害を防止することができる。
【発明の効果】
【００２７】
本発明によれば、映像信号が入力された状態遷移時においてパルスの重畳を行い、同期の判定を行うことで、自動的に重畳パルスによる外部同期機能を有した機器を判別し自動的に設定が行われることから、従来必要であったマニュアルでの設定が不要となり、設置時はもとより、メンテナンスにおけるカメラなどの交換の際でも扱いやすいシステムを提供することができる。
【発明を実施するための最良の形態】
【００２８】
以下本発明の一実施の形態について図面を参照しながら説明する。図１は、本発明による重畳パルスの自動設定回路を具備した外部同期システムにより、各チャンネルの映像信号の同期を行う基本的なシステム構成例を示すブロック図である。この例では、３台のカメラ１０、１１、１２と１台のＶＣＲ（ＶＴＲ）１７からの出力信号を切り換える場合の映像信号切換器１について説明する。この映像信号切換器１は、３つの混合器２１、２２、２３と３つのバッファアンプ（単にバッファとも言う）２４、２５、２６と３つのドライバ２７、２８、２９と、３つの重畳制御部１８、１９、２０と、切換制御部３６と、タイミングパルス生成回路４０とを有している。重畳制御部１８、１９、２０は、判定部３３、３４、３５と切換スイッチ３０、３１、３２を有している。
【００２９】
各重畳制御部１８、１９、２０は同一構成であるので、代表して重畳制御部１８の構成のみを図２に示す。重畳制御部１８は、バッファアンプ２４の出力信号から同期信号を分離抽出する同期分離回路５６と、同期分離回路５６で分離された同期信号に応答する２つの積分回路５４、５７と、タイミングパルス生成回路４０から与えられるタイミングパルスを所定時間遅延して出力するタイマ５９と、積分回路５４の出力信号に応答して計時を開始するタイマ５５と、積分回路５７の出力信号とタイマ５９の出力信号に応答して外部同期の判定を行う外部同期判定回路５８と、タイマ５５と外部同期判定回路５８の出力信号に応答するＯＲ回路６０と、２つの切換スイッチ５３、８１を有する。
【００３０】
図１及び図２に示す映像信号切換器１は、タイミングパルス生成回路４０から供給されるパルスを映像信号に重畳することによって、カメラ１０〜１２の同期運転を行うようにしたものである。なお、映像信号切換器１の映像入力端子は１３、１４、１５で示され、映像出力端子は３７で示される。映像入力端子１５にはメカニカルな選択スイッチである切換スイッチ（ＳＷ）１６を経由してカメラ１２とＶＣＲ１７が選択的に繋がっている。切換スイッチ３０、３１、３２は、タイミングパルスの重畳設定スイッチであり、各切換スイッチ３０、３１、３２は、対応する判定部３３、３４、３５からの信号で自動的に切り換わる。
【００３１】
例えば、切換スイッチ１６の可動接点が位置ａ側にある場合は、重畳タイミングパルスによる同期が行われるように作用し、映像入力端子１３、１４、１５に接続されるすべてのカメラ１０、１１、１２の同期が確立して切換制御部３６によってタイミングパルスに同期した切り換えタイミングで映像信号を切り換えることで垂直帰線期間内に映像信号の切り換えを行うことができ、切り換えられた映像出力信号が映像出力端子３７から送出される。一方、切換スイッチ１６の可動接点が位置ｂ側にある場合は、ＶＣＲ１７が選択されて、映像入力端子１５を介してのカメラ１２へのタイミングパルスの重畳は自動的に停止される。その結果、カメラ１０、１１のみが同期運転を行うこととなる。
【００３２】
また図１に示すように、各チャンネルごとに重畳制御部１８、１９、２０を具備していることにより、各々の映像入力端子１３、１４、１５に入力される映像信号の同期方式の違いに対して、他のチャンネルの同期動作に何らの影響なく適応させた切り換えができる。したがって、監視、表示中の映像に再起動による画像の乱れやセットアップ画面のような表示に切り換わることなく適切な設定が行われる。
【００３３】
次に本発明の実施の形態における自動設定動作を図２、図３を用いて説明する。なお、前述のように図２は図１中の重畳制御部１８と、その周辺のみを代表して示しており、ここでは重畳制御部１８との動作のみを説明する。映像入力端子１３に入力されたカメラ１０（図１参照）などの映像機器からの映像入力信号はバッファアンプ２４を経由して同期分離回路５６により同期信号が分離される。同期信号は、第一に映像信号が入力されていることを積分回路５４によって判定することと、第二に同期信号から垂直成分のみを積分回路５７により抽出し、重畳しているパルスと外部同期しているかを判定するために使用される。
【００３４】
第一の目的である映像信号が入力されていることの判定は、まず、無信号入力から信号が入力されたタイミングを検出することで、機器システムを動作中に信号ケーブルを挿抜した場合、すなわちカメラの交換、また、言うまでも無くカメラの電源を投入した場合にも、その都度、後段のタイマ５５の設定時間だけパルスを重畳するという、いわば起動回路を構成するためであり、これにより設定の自動化を実現している。つまり積分回路５４は同期信号のある期間は、レベル的に安定することのできる長い時定数となっていて、映像信号の無から有に切り換わったエッジと、継続接続状態の両方を検出する作用を有している。そしてこの映像信号が接続を維持している限り、検出状態は変わらない。次に、カメラ１０のＰＬＬロックが安定するまでは重畳し続ける必要があることから、タイマ５５の設定時間は数秒程度としている。なお、重畳パルスを停止するのは、外部同期が重畳パルスによる方式でない映像信号が入力された場合はもとより、カメラ１０などからの入力信号が得られない状態でパルスのみがカメラ１０などの機器の信号処理回路に入力された場合、同期分離回路５６が誤動作し続けるのを避けるためでもある。
【００３５】
第二の目的である外部同期の判定では垂直成分との位相比較を行うが、垂直同期信号の開始部分で、重畳パルスをタイマ５９によって幅を広げたものを常時判定することによって、外部同期状態を監視する。重畳パルス方式によらない図示省略の他のカメラなどの機器の映像信号にたまたま同期していた位相関係が外れた場合や、当然、同期していたカメラ１０からの信号が外れたことや、電源の断を検出した場合は、パルスの重畳を停止することを判定している。なお、重畳パルス方式によるカメラ１０などの映像機器の映像信号に、たまたま乗ったノイズなどの影響で否同期判定となった場合に、以降二度とパルス重畳が行われず同期システムが電源の入れ直しや再接続によって再びテスト期間による判定を行わなくては確立できないとすると、パルス重畳による複数映像入力機器の外部同期をとるという本来の目的を逸してしまう。そこで本発明では外部同期判定回路５８による常時判定により、常時パルスの重畳の停止再開ができるようにしている。
【００３６】
上述のようにこれらの判定によってパルスの重畳が必要であるときにＯＲ回路６０を経てタイミングパルス生成回路４０からの重畳パルスがドライバ２７へ伝達できるよう切換スイッチ（ＳＷ）５３を閉じることで、混合器２１の働きによって映像信号ラインにパルスが重畳される。また重畳制御部１８を持つ機器側の電源が投入された場合の動作として、タイミングパルス生成回路４０からのパルスがカメラ１０などの映像機器のシステムプログラムのローディングなどによって遅れてしまう場合や、システム機器の連携動作によって任意に起動が必要となる際には、これらの処理が完了した後、リセット信号入力端子７０に起動信号を入力することによってパルスの重畳テスト期間を自由に与えることができるようにしてある。
【００３７】
前述のようにＶＣＲと重畳パルスによる外部同期システムのカメラなどが、スイッチなどによって切り換わる場合はパルス重畳の入／切も自動的に切り換わるが、あらかじめ重畳パルスによる外部同期システムが可能でない機器との接続が分かっている場合は、パルスを重畳する必要が無く、映像信号が切り換わるたびにテスト期間といえども重畳を行うと、画像に重畳パルスが混入することになるので、自動判定以外に切換スイッチ８１によって任意にパルス重畳を切ることができる。また逆に接続するカメラなどの機器が行うＰＬＬの収束速度に平均的なテスト期間以上の時間を要するような機器や、ＰＬＬの収束は早くても機器の起動からＰＬＬ動作を開始するまでに時間を要してしまい、システムとして同期できるにもかかわらず重畳側のテスト期間内に外部同期状態の判定に持ち込めずパルス重畳を終了してしまうと、同期運転が継続できないので、外部同期判定による自動モード以外に任意にパルス重畳を実行するために切換スイッチ８１を操作できるようにしてある。
【００３８】
次に同期の判定について更に詳細に図３を用いて説明する。
まず重畳するパルス（波形Ａ）を、カメラからの映像信号（波形Ｂ）に重畳して、重畳パルスの重畳波形（波形Ｃ）となる。カメラなどにおいては外部同期式ＰＬＬ回路が重畳パルスによって同期運転を開始し、同期がとれると同期した状態の位相関係を確立する（波形Ｄ）。重畳パルスの立下り位相がおおよそ垂直同期の開始位相となるようにカメラなどの外部同期式ＰＬＬ回路が位相制御を行うので、この関係は同期している場合一定であり、したがって、映像信号から分離した複合同期信号（波形Ｅ）から積分して得られた垂直同期信号のタイミング（波形Ｆ）において重畳パルスから生成した外部同期判定タイミング（波形Ｇ）のレベルがＨとなっていることで、外部同期状態を判定する。
なお、上記外部同期判定タイミング（波形Ｇ）がタイマによって遅れ方向に広がり、重畳パルスとの位相一致を判定する範囲も広がるが、一般的な垂直同期の検出遅延が0.5Ｈ以内であることから、前述タイマの遅延もこの程度に選んだ場合、重畳パルスは垂直帰線期間内にあり、表示画面上には現れないので問題とならない。
【００３９】
同様に、もしも同期していないシステム間の重畳パルスと映像同期信号の関係が、たまたま位相一致の範囲にあった場合も、表示画面上には現れないので問題とならず、そのまま同期状態を監視して、これに応じてパルス重畳の制御が行われる。
【００４０】
次に、この重畳制御部１８のパルスの自動設定（AUTO設定時）の基本フローを図４に示して説明する。重畳パルスに対応したカメラ１０などの機器の接続によって、これを自動的に判別する場合、まずステップＳ１で映像入力検出によって入力状態であることを検出する。次にステップＳ２で映像入力変化検出にて無→有に切り換わったタイミングを検出する。すなわち、これまで何も接続が無かった映像入力端子１３へ、映像信号を入力すべく機器を接続した場合や、映像入力する機器を変更するために、これまで繋がっていた機器を一度外して他の機器からの入力信号を入力する場合に判定され、あるいは入力する映像機器の電源をオンにした場合に判定され、ステップＳ３でテスト期間タイマが起動され、ステップＳ６で条件フラグ１にパルス重畳のフラグを立てる。
【００４１】
ステップＳ８での条件フラグ判定では、ステップＳ６又はステップＳ７の条件フラグの少なくとも一方のパルス重畳のフラグがあるときパルス重畳を行い、フローのトップに戻る。起動時はステップＳ１、Ｓ２、Ｓ３、Ｓ６、Ｓ８の経路をたどる。次に同様にして映像入力を検出しているので再びステップＳ２へ行き、映像入力変化検出に移るが、既に映像は継続して入力されていることから、ステップＳ４でテスト期間判定によってテスト期間であればパルス重畳を継続し、タイムアウトした場合は完了として、ステップＳ６の条件フラグ１のパルス停止のフラグを立て、パルス重畳を停止する。なお、ステップＳ１で映像信号切換器１の電源の立ち上げを検出して、以降ステップＳ２の映像入力変化検出と同様に対応することができる。
【００４２】
すなわちテスト期間ではステップＳ１、Ｓ２、Ｓ４、Ｓ６、Ｓ８をたどる。同時に、テスト期間に入り接続先のカメラなどの機器が同期運転を行い、重畳パルスと映像同期信号の位相関係が成立するとステップＳ５の外部同期判定結果によりステップＳ７で条件フラグ２のパルス重畳のフラグを立てる。ステップＳ８の条件フラグ判定ではいずれかの条件フラグの情報からパルス重畳のフラグを得た場合にパルス重畳を判断するので、テスト期間が終了する前に、条件フラグ２のパルス重畳フラグを立てることができた場合、継続して接続機器にパルス重畳が行われ続けることになる。すなわち、ステップＳ１、Ｓ５、Ｓ７、Ｓ８をたどる。
【００４３】
逆にテスト期間内にステップＳ５の外部同期判定にて同期を得られず、パルス重畳の継続が行われない場合は、接続対象機器がパルス重畳による外部同期方式でないとの判断がされ、ステップＳ１、Ｓ２、Ｓ４の経路で再びステップＳ２での映像入力の変化が得られるまでパルス重畳が行われない。
【産業上の利用可能性】
【００４４】
本発明によると、外部同期運転を行うことが可能な映像機器のみを選択的に同期させることができ、外部同期運転を行うことが不可能な映像機器の切り換え制御による画面中の不要なノイズなどの弊害の発生を防止することができるので、本発明はカメラなどの複数の映像機器を同期させるシステムなどで有用である。
【図面の簡単な説明】
【００４５】
【図１】本発明の実施の形態にかかる外部同期システムの重畳パルス自動設定回路の基本的なシステム構成を示すブロック図
【図２】図１中の重畳制御部の構成を示すブロック図
【図３】図１、図２の回路の動作状態を説明するための位相関係図
【図４】図１、図２の回路の動作を示す基本フローチャート
【符号の説明】
【００４６】
１  映像信号切換器
１０〜１２  カメラ
１３〜１５  映像入力端子
１６、３０〜３２、５３、８１  切換スイッチ（ＳＷ）
１７  ＶＣＲ
１８〜２０  重畳制御部
２１〜２３  混合器
２４〜２６  バッファアンプ（バッファ）
２７〜２９  ドライバ
３３〜３５  判定部
３６  切換制御部
３７  映像出力端子
４０  タイミングパルス生成回路
５４、５７  積分回路
５５、５９  タイマ
５６  同期分離回路
５８  外部同期判定回路
６０  ＯＲ回路
７０  リセット信号入力端子
【図１】
2005348201.tif 000003
【図２】
2005348201.tif 000004
【図３】
2005348201.tif 000005
【図４】
2005348201.tif 000006